(57)【要約】本発明は熱プラズマ疾患治療システムとその使用方法を提供し、互いに連結する制御システムと少なくとも１つの電源システムとを備え、制御システムと電源システムはそれぞれ媒体ガス調合システムと、少なくとも１つの冷却システムと、少なくとも１つの熱プラズマ発生器と、少なくとも１つのプラズマ処理装置と、プラズマ治療チャンバーと、検出フィードバックシステムと、排気ガス処理システムと連結して制御を行い、前記媒体ガス調合システムは熱プラズマ発生器と連結し、前記冷却システムは熱プラズマ発生器に設置され、熱プラズマ発生器はプラズマ処理装置と連結し、プラズマ処理装置はプラズマ治療チャンバーと連結し、プラズマ治療チャンバーは排気ガス処理システムと連結する。本発明は体表面の疾患、体内のウィルス性疾患、腫瘍類疾患、免疫システム疾患及び神経システム異変性疾患等の多種類の疾患を治療でき、疾患治療に新しい治療システム及び方法を提供する。【選択図】図１
2019514564.tif 000002
【特許請求の範囲】
【請求項１】
互いに連結する制御システムと少なくとも１つの電源システムとを備え、制御システムと電源システムは、それぞれ、媒体ガス調合システムと、少なくとも１つの冷却システムと、少なくとも１つの熱プラズマ発生器と、少なくとも１つのプラズマ処理装置と、プラズマ治療チャンバーと、検出フィードバックシステムと、排気ガス処理システムと連結して制御を行い、
前記媒体ガス調合システムは熱プラズマ発生器と連結し、前記冷却システムは熱プラズマ発生器に設置され、熱プラズマ発生器はプラズマ処理装置と連結し、プラズマ処理装置はプラズマ治療チャンバーと連結し、プラズマ治療チャンバーは排気ガス処理システムと連結し、検出フィードバックシステムは熱プラズマ発生器とプラズマ治療チャンバーと連結し、検出フィードバックシステムは検出データを制御システムにフィードバックさせて、制御システムで計算を行うことを特徴とする熱プラズマ疾患治療システム。
【請求項２】
請求項１に記載の熱プラズマ疾患治療システムにおいて、
前記プラズマ処理装置は、受入部（１）、処理部（２）、出力部（３）、冷却剤入力口（４）、冷却剤容器（７）および冷却剤出力口（５）から構成され、そのうち受入部（１）は熱プラズマ発生器と連結し、出力部（３）はプラズマ治療チャンバーと連結し、処理部（２）の両端はそれぞれ受入部（１）と出力部（３）と連結し、冷却剤入力口（４）は受入部（１）に設置され、冷却剤容器（７）は処理部（２）の外側に設置され、冷却剤出力口（５）は出力部（３）に設置されることを特徴とする熱プラズマ疾患治療システム。
【請求項３】
請求項１に記載の熱プラズマ疾患治療システムにおいて、
前記プラズマ処理装置は、受入部（１）、処理部（２）、出力部（３）、ジェットストリーム調節風入口（６）から構成され、そのうち受入部（１）は熱プラズマ発生器と連結し、出力部（３）はプラズマ治療チャンバーと連結し、処理部（２）の両端はそれぞれ受入部（１）と出力部（３）と連結し、ジェットストリーム調節風入口（６）は受入部（１）に設置されることを特徴とする熱プラズマ疾患治療システム。
【請求項４】
請求項２に記載の熱プラズマ疾患治療システムにおいて、
前記プラズマ処理装置は、受入部（１）、処理部（２）、出力部（３）、冷却剤入力口（４）、冷却剤容器（７）、冷却剤出力口（５）およびジェットストリーム調節風入口（６）から構成され、そのうち受入部（１）は熱プラズマ発生器と連結し、出力部（３）はプラズマ治療チャンバーと連結し、処理部（２）の両端はそれぞれ受入部（１）と出力部（３）と連結し、冷却剤入力口（４）は受入部（１）に設置され、冷却剤容器（７）は処理部（２）の外側に設置され、冷却剤出力口（５）は出力部（３）に設置され、ジェットストリーム調節風入口（６）は受入部（１）に設置されることを特徴とする熱プラズマ疾患治療システム。
【請求項５】
請求項２に記載の熱プラズマ疾患治療システムにおいて、
前記プラズマ処理装置の処理部（２）の横断面は、熱プラズマ発生器の陽極ノズルの横断面の０．２〜２倍であることを特徴とする熱プラズマ疾患治療システム。
【請求項６】
請求項３に記載の熱プラズマ疾患治療システムにおいて、
前記プラズマ処理装置の処理部（２）の横断面は、熱プラズマ発生器の陽極ノズルの横断面の０．２〜２倍であることを特徴とする熱プラズマ疾患治療システム。
【請求項７】
請求項４に記載の熱プラズマ疾患治療システムにおいて、
前記プラズマ処理装置の処理部（２）の横断面は、熱プラズマ発生器の陽極ノズルの横断面の０．２〜２倍であることを特徴とする熱プラズマ疾患治療システム。
【請求項８】
請求項２に記載の熱プラズマ疾患治療システムにおいて、
前記プラズマ処理装置の処理部（２）は、真っすぐでありまたは湾曲でありまたは螺旋的でありまたは捻じ曲げ状であることを特徴とする熱プラズマ疾患治療システム。
【請求項９】
請求項１〜８のいずれか一項に記載の熱プラズマ疾患治療システムにおいて、
前記プラズマ処理装置の出力部（３）は、手動的にまたは制御ユニットによって自動的に高さと回転角度が調節されることを特徴とする熱プラズマ疾患治療システム。
【請求項１０】
請求項２〜８のいずれか一項に記載の熱プラズマ疾患治療システムにおいて、
前記プラズマ処理装置の受入部（１）、処理部（２）、出力部（３）、冷却剤入力口（４）、冷却剤出力口（５）およびジェットストリーム調節風入口（６）の横断面は、円形、楕円形または多角形であることを特徴とする熱プラズマ疾患治療システム。
【請求項１１】
請求項２に記載の熱プラズマ疾患治療システムにおいて、
前記冷却システムと冷却剤容器（７）の中の冷却剤は、気体または液体であることを特徴とする熱プラズマ疾患治療システム。
【請求項１２】
請求項１に記載の熱プラズマ疾患治療システムにおいて、
前記媒体ガス調合システムは、媒体ガスの入力種類を選択し、媒体ガスの流量を制御することを特徴とする熱プラズマ疾患治療システム。
【請求項１３】
請求項１に記載の熱プラズマ疾患治療システムにおいて、
前記媒体ガス調合システムの中の媒体ガスは、アルゴン、ヘリウム、窒素、空気、二酸化窒素ガス、一酸化窒素ガス、酸素、メタンガス、水素、アンモニア、二酸化炭素ガス、一酸化炭素ガス、アルコール蒸気、水蒸気の中の１種類または複数の種類であり、アルゴン、ヘリウムおよび窒素の中の１種類または複数の種類の流量範囲は８Ｌ／ｍｉｎ〜２４０Ｌ／ｍｉｎであり、空気、二酸化窒素ガス、一酸化窒素ガスおよび酸素の中の１種類または複数の種類の流量範囲は１５Ｌ／ｍｉｎ〜３２００Ｌ／ｍｉｎであり、メタンガス、水素、アンモニア、二酸化炭素ガス、一酸化炭素ガス、アルコール蒸気および水蒸気の中の１種類または複数の種類の流量範囲は０．８Ｌ／ｍｉｎ〜１８．２Ｌ／ｍｉｎであることを特徴とする熱プラズマ疾患治療システム。
【請求項１４】
請求項１に記載の熱プラズマ疾患治療システムにおいて、
前記熱プラズマ発生器は、直流プラズマ発生器、交流プラズマ発生器、マイクロウェーブプラズマ発生器、高周波誘導プラズマ発生器の中の１台または複数台であることを特徴とする熱プラズマ疾患治療システム。
【請求項１５】
請求項１に記載の熱プラズマ疾患治療システムにおいて、
前記検出フィードバックシステムは、熱プラズマ発生器とプラズマ治療チャンバー内に取り付けられたセンサー、およびプラズマ治療チャンバー内に取り付けられた生物体生命徴候モニタセンサーによって各種のデータを検出し、データを制御システムに転送して、制御システムで計算を行うことを特徴とする熱プラズマ疾患治療システム。
【請求項１６】
請求項１に記載の熱プラズマ疾患治療システムにおいて、
前記プラズマ治療チャンバー内には、生物体呼吸装置、騒音減少イヤホン、生物体生命徴候モニタセンサーおよび環境温度調節装置が設置され連結されることを特徴とする熱プラズマ疾患治療システム。
【請求項１７】
請求項１〜８のいずれか一項に記載の熱プラズマ疾患治療システムにおいて、
疾患種類は、下記の
Ａ．体表面の疾患：皮膚病、慢性潰瘍、ウィルス感染、細菌／真菌感染；
Ｂ．体内のウィルス性疾患：Ｂ型肝炎、Ｃ型肝炎、犬ジステンパーウィルス病および犬パルボウイルス病；
Ｃ．腫瘍：黒色腫、肝ガン、肺ガンおよび神経膠腫；
Ｄ．免疫システム疾患：リウマチ様関節炎、全身性エリテマトーデス、強皮症および強直性脊椎炎；
Ｅ．神経システム異変疾患：パーキンソン病および小脳萎縮；を含み、
実際の操作においては、スタッフが異なる疾患、異なる患者の身体反応および生物体生命徴候モニタセンサーのリアルタイムのパラメータに従って、媒体ガス種類と、媒体ガス流量と、熱プラズマ発生器およびプラズマ処理装置のパワー、治療時間および周期とを含めて調節を行うことを特徴とする熱プラズマ疾患治療システム。
【請求項１８】
請求項１に記載の熱プラズマ疾患治療システムの使用方法であって、
電源システムをスタートし、制御システムは媒体ガス調合システムを制御し、媒体ガスを調合してから熱プラズマ発生器に送り、調合後の媒体ガスは熱プラズマ発生器によってアークスタートしてから熱プラズマジェットストリームを形成するステップと、
熱プラズマジェットストリームはプラズマ処理装置によって温度が摂氏７０度より低い作動ガスを形成し、作動ガスはプラズマ治療チャンバーに入り、プラズマ治療チャンバーから排出される廃棄ガスは排気ガス処理システムに入り排気処理され、検出フィードバックシステムは、熱プラズマ発生器とプラズマ治療チャンバー内に取り付けられたセンサーによって、被治療生物体のリアルタイムの生理データ、および熱プラズマ発生器とプラズマ治療チャンバーの運行パラメータを獲得し、得られたデータを制御システムにフィードバックさせ、制御システムは、フィードバックして得られたデータに対して計算を行い、計算結果のデータに従って設備の運行状況を調整し、治療チャンバー内の各種のデータを疾患治療の要求を満足させるようにするステップと、を含むことを特徴とする熱プラズマ疾患治療システムの使用方法。
【発明の詳細な説明】
【技術分野】
【０００１】
本願は、プラズマ医療器械分野に関し、特に熱プラズマ疾患治療システム及びその使用方法を提供する。
【背景技術】
【０００２】
プラズマは、固体、液体、気体以外の第四の状態であり、宇宙の中の９９％の物質がプラズマの状態である。プラズマは通常、平衡プラズマと非平衡プラズマに分けられ、平衡プラズマは熱プラズマ（電子温度が重粒子温度と等しい）とも呼び、非平衡プラズマは冷プラズマ（電子温度が１００００Ｋより高く、室温に近い重粒子温度より遥かに高い）とも呼ぶ。
【０００３】
二十年来、冷プラズマの医学研究分野における応用はずっと科学者らが注目するホットスポットであり、皮膚表面の細菌、ウィルス及び皮下の腫瘍の処理等の方面において人を奮い立たせる効果がある。しかし、技術的な制限により、冷プラズマは以下の欠点を有する：
１．冷プラズマ設備の出力パワーが比較的小さく、作られたプラズマジェットストリームが生物体に対する処理の強度が比較的弱い。
２．冷プラズマジェットストリームの流量が小さく、流速が遅く、生物体に対する被覆表面面積が比較的小さい。
【０００４】
故に冷プラズマは主に殺菌消毒、傷口の局部処理、皮膚表面処理等に用いられ、応用範囲が小さい。生物体の全身性のウィルス性疾患、生物体の深い場所（内臓上）等のウィルスに対して治療する術がまだない。
【発明の概要】
【発明が解決しようとする課題】
【０００５】
本発明の目的は、生物体表面の殺菌消毒、局部傷口処理に用いられるだけでなく、生物体の全身性のウィルス性疾患、生物体の体内の深い場所、例えば内臓上のウィルス、神経システムの異変等の疾患の回復と治療にも用いられる熱プラズマ疾患治療システム及びその使用方法を提供することである。
【課題を解決するための手段】
【０００６】
本発明は、以下の技術案によって実現する。すなわち、互いに連結する制御システムと少なくとも１つの電源システムとを備え、制御システムと電源システムは、それぞれ媒体ガス調合システムと、少なくとも１つの冷却システムと、少なくとも１つの熱プラズマ発生器と、少なくとも１つのプラズマ処理装置と、プラズマ治療チャンバーと、検出フィードバックシステムと、排気ガス処理システムと連結して制御を行い、上記媒体ガス調合システムは熱プラズマ発生器と連結し、上記冷却システムは熱プラズマ発生器に設置され、熱プラズマ発生器はプラズマ処理装置と連結し、プラズマ処理装置はプラズマ治療チャンバーと連結し、プラズマ治療チャンバーは排気ガス処理システムと連結し、検出フィードバックシステムは熱プラズマ発生器とプラズマ治療チャンバーと連結し、検出フィードバックシステムは検出データを制御システムにフィードバックさせて、制御システムで計算を行う。
【０００７】
上記プラズマ処理装置は、受入部１、処理部２、出力部３、冷却剤入力口４、冷却剤容器７および冷却剤出力口５から構成され、そのうち受入部１は熱プラズマ発生器と連結し、出力部３はプラズマ治療チャンバーと連結し、処理部２の両端はそれぞれ受入部１と出力部３と連結し、冷却剤入力口４は受入部１に設置され、冷却剤容器７は処理部２の外側に設置され、冷却剤出力口５は出力部３に設置される。冷却剤は処理部２の中の熱プラズマジェットストリームを冷却するために用いられる。
【０００８】
上記プラズマ処理装置は受入部１、処理部２、出力部３、ジェットストリーム調節風入口６から構成され、そのうち受入部１は熱プラズマ発生器と連結し、出力部３はプラズマ治療チャンバーと連結し、処理部２の両端はそれぞれ受入部１と出力部３と連結し、ジェットストリーム調節風入口６は受入部１に設置される。ジェットストリーム調節風は熱プラズマジェットストリームの温度を下げるために、および熱プラズマジェットストリームが安定的にプラズマ治療チャンバーに出力されるのを保つために用いられる。
【０００９】
上記プラズマ処理装置は受入部１、処理部２、出力部３、冷却剤入力口４、冷却剤容器７、冷却剤出力口５およびジェットストリーム調節風入口６から構成され、そのうち受入部１は熱プラズマ発生器と連結し、出力部３はプラズマ治療チャンバーと連結し、処理部２の両端はそれぞれ受入部１と出力部３と連結し、冷却剤入力口４は受入部１に設置され、冷却剤容器７は処理部２の外側に設置され、冷却剤出力口５は出力部３に設置され、ジェットストリーム調節風入口６は受入部１に設置される。
【００１０】
上記プラズマ処理装置の処理部２の横断面は、熱プラズマ発生器の陽極ノズルの横断面の０．２〜２倍である。
【００１１】
プラズマ処理装置は騒音減少の働きと光を避ける働きを有する。熱プラズマジェットストリームをプラズマ処理装置内に密閉させることによって、熱プラズマジェットストリームの騒音を有効的に下げるだけでなく、治療者が熱プラズマの発する強い光を避けられるようにさせることもできる。
【００１２】
プラズマ処理装置はさらに収集の働きを有し、熱プラズマジェットストリームが外部空気と混合するのを阻止し、有効物質が環境に分散流失して治療効果が下がるのを防止する。
【００１３】
上記プラズマ処理装置の処理部２は、真っすぐでありまたは湾曲でありまたは螺旋的でありまたは捻じ曲げ状である。
【００１４】
上記プラズマ処理装置の出力部３は、手動的にまたは制御ユニットによって自動的に高さと回転角度が調節される。
【００１５】
上記プラズマ処理装置の受入部１、処理部２、出力部３、冷却剤入力口４、冷却剤出力口５およびジェットストリーム調節風入口６の横断面は、円形、楕円形または多角形である。
【００１６】
上記冷却システムと冷却剤容器７の中の冷却剤は、気体または液体である。
【００１７】
上記媒体ガス調合システムは、媒体ガスの入力種類を選択し、媒体ガスの流量を制御する。
【００１８】
上記媒体ガス調合システムの中の媒体ガスは、アルゴン、ヘリウム、窒素、空気、二酸化窒素ガス、一酸化窒素ガス、酸素、メタンガス、水素、アンモニア、二酸化炭素ガス、一酸化炭素ガス、アルコール蒸気、水蒸気の中の１種類または複数の種類であり、そのうち、アルゴン、ヘリウムおよび窒素の１種類または複数の種類の流量範囲は８Ｌ／ｍｉｎ〜２４０Ｌ／ｍｉｎであり、空気、二酸化窒素ガス、一酸化窒素ガスおよび酸素の１種類または複数の種類の流量範囲は１５Ｌ／ｍｉｎ〜３２００Ｌ／ｍｉｎであり、メタンガス、水素、アンモニア、二酸化炭素ガス、一酸化炭素ガス、アルコール蒸気および水蒸気の１種類または複数の種類の流量範囲は０．８Ｌ／ｍｉｎ〜１８．２Ｌ／ｍｉｎである。
【００１９】
上記電源システムのパワーは５００Ｗ〜１０００ｋＷである。
【００２０】
上記熱プラズマ発生器は、直流プラズマ発生器、交流プラズマ発生器、マイクロウェーブプラズマ発生器、高周波誘導プラズマ発生器の中の１台または複数台であり、パワーは５００Ｗ〜４５０ｋＷである。
【００２１】
上記検出フィードバックシステムは、熱プラズマ発生器とプラズマ治療チャンバー内に取り付けられたセンサー、およびプラズマ治療チャンバー内に取り付けられた生物体生命徴候モニタセンサーによって、例えば心拍数、血圧、血液酸素等の被治療生物体のリアルタイムの生理データ、および例えばパワー（電力）、プラズマジェットストリームの温度場、ガスの流量等の熱プラズマ発生器とプラズマ治療チャンバーの運行パラメータを含む各種のデータを検出し、得られたデータを制御システムにフィードバックさせ、制御システムは、フィードバックして得られたデータに対して計算を行い、計算結果のデータに従って設備の運行状況を調整し、治療チャンバー内の各種のデータを疾患治療の要求を満足させるようにする。
【００２２】
上記プラズマ治療チャンバー内には、生物体呼吸装置、騒音減少イヤホン、生物体生命徴候モニタセンサーおよび環境温度調節装置が設置され連結される。上記環境温度調節装置はプラズマ治療チャンバー内の温度の調節に用いられる。
【００２３】
疾患種類は、下記の
Ａ．体表面の疾患、例えば：皮膚病、慢性潰瘍、ウィルス感染、細菌／真菌感染；
Ｂ．体内のウィルス性疾患、例えば：Ｂ型肝炎、Ｃ型肝炎、犬ジステンパーウィルス病、犬パルボウイルス病；
Ｃ．腫瘍類疾患、例えば：黒色腫、肝ガン、肺ガン、神経膠腫；
Ｄ．免疫システム疾患、例えば：リウマチ様関節炎、全身性エリテマトーデス、強皮症、強直性脊椎炎；
Ｅ．神経システム異変疾患、例えば：パーキンソン病、小脳萎縮など；を含む。
【００２４】
実際の操作においては、スタッフが異なる疾患、異なる患者の身体反応および生物体生命徴候モニタセンサーのリアルタイムのパラメータに従って、媒体ガス種類、媒体ガス流量、熱プラズマ発生器およびプラズマ処理装置のパワー、治療時間および周期を含めて調節を行う。
【００２５】
以下のステップを含む：電源システムをスタートし、制御システムは媒体ガス調合システムを制御し、媒体ガスを調合してから熱プラズマ発生器に送り、調合後の媒体ガスは熱プラズマ発生器によってアークスタートしてから熱プラズマジェットストリームを形成する。熱プラズマジェットストリームはプラズマ処理装置によって温度が摂氏７０度より低い作動ガスを形成し、作動ガスはプラズマ治療チャンバーに入り、プラズマ治療チャンバーから排出される廃棄ガスは排気ガス処理システムに入り排気処理され、検出フィードバックシステムは、熱プラズマ発生器とプラズマ治療チャンバー内に取り付けられたセンサーによって、例えば心拍数、血圧、血液酸素等の被治療生物体のリアルタイムの生理データ、および例えばパワー、プラズマジェットストリームの温度場、ガスの流量等の熱プラズマ発生器とプラズマ治療チャンバーの運行パラメータを獲得し、得られたデータを制御システムにフィードバックさせ、制御システムは、フィードバックして得られたデータに対して計算を行い、計算結果のデータに従って設備の運行状況を調整し、治療チャンバー内の各種のデータを疾患治療の要求を満足させるようにする。
【発明の効果】
【００２６】
本発明は調合可能な熱プラズマを使って、体表面の疾患、体内のウィルス性疾患、腫瘍類疾患、免疫システム疾患および神経システム異変性疾患等の多種類の疾患を治療でき、疾患治療に新しい治療システム及び方法を提供する。
【図面の簡単な説明】
【００２７】
【図１】図１は、本発明の熱プラズマ疾患治療システムの全体原理を示すブロック図である。
【図２】図２は、本発明の冷却剤を含むプラズマ処理装置の模式図である。
【図３】図３は、本発明のジェットストリーム調節風を含むプラズマ処理装置の模式図である。
【図４】図４は、本発明の冷却剤とジェットストリーム調節風を含むプラズマ処理装置の模式図である。
【図５】図５は、本発明のプラズマ処理装置の出力部は高さと回転角度が調節可能である模式図である。
【図６】図６は、本発明のプラズマ処理装置の処理部の横断面は、熱プラズマ発生器の陽極ノズルの横断面とサイズが同じである模式図である。
【図７】図７は、本発明のプラズマ処理装置の処理部の横断面は、熱プラズマ発生器の陽極ノズルの横断面より大きい模式図である。
【図８】図８は、本発明のプラズマ処理装置の処理部は湾曲である模式図である。
【発明を実施するための形態】
【００２８】
図１に示すように、熱プラズマ疾患治療システムは制御システム、電源システム、媒体ガス調合システム、冷却システム、熱プラズマ発生器、プラズマ処理装置、プラズマ治療チャンバー、検出フィードバックシステム、及び排気ガス処理システムを含む。制御システムと電源システムはそれぞれ媒体ガス調合システム、冷却システム、熱プラズマ発生器、プラズマ処理装置、プラズマ治療チャンバー、検出フィードバックシステム、及び排気ガス処理システムと連結し、これらを制御する。上記媒体ガス調合システムは熱プラズマ発生器と連結し、上記冷却システムは熱プラズマ発生器に設置され、熱プラズマ発生器はプラズマ処理装置と連結し、プラズマ処理装置はプラズマ治療チャンバーと連結し、プラズマ治療チャンバーは排気ガス処理システムと連結し、検出フィードバックシステムは熱プラズマ発生器とプラズマ治療チャンバーと連結し、検出フィードバックシステムは検出データを制御システムにフィードバックさせて、制御システムで計算を行う。
【００２９】
図２に示すように、プラズマ処理装置は受入部１、処理部２、出力部３、冷却剤入力口４、冷却剤容器７及び冷却剤出力口５から構成され、そのうち受入部１は熱プラズマ発生器と連結し、出力部３はプラズマ治療チャンバーと連結し、処理部２の両端はそれぞれ受入部１と出力部３と連結し、冷却剤入力口４は受入部１に設置され、冷却剤容器７は処理部２の外側に設置され、冷却剤出力口５は出力部３に設置される。
【００３０】
図３に示すように、プラズマ処理装置は受入部１、処理部２、出力部３及びジェットストリーム調節風入口６から構成され、そのうち受入部１は熱プラズマ発生器と連結し、出力部３はプラズマ治療チャンバーと連結し、処理部２の両端はそれぞれ受入部１と出力部３と連結し、ジェットストリーム調節風入口６は受入部１に設置される。
【００３１】
図４に示すように、プラズマ処理装置は受入部１、処理部２、出力部３、冷却剤入力口４、冷却剤容器７、冷却剤出力口５及びジェットストリーム調節風入口６から構成され、そのうち受入部１は熱プラズマ発生器と連結し、出力部３はプラズマ治療チャンバーと連結し、処理部２の両端はそれぞれ受入部１と出力部３と連結し、冷却剤入力口４は受入部１に設置され、冷却剤容器７は処理部２の外側に設置され、冷却剤出力口５は出力部３に設置され、ジェットストリーム調節風入口６は受入部１に設置される。
【００３２】
図５に示すように、プラズマ処理装置の出力部３は、手動的にまたは制御ユニットによって自動的に高さと回転角度が調節される。
【００３３】
図２〜５に示すように、プラズマ処理装置の処理部２の横断面は、熱プラズマ発生器の陽極ノズルの横断面より小さい。
【００３４】
図６に示すように、プラズマ処理装置の処理部２の横断面は、熱プラズマ発生器の陽極ノズルの横断面とサイズが同じである。
【００３５】
図７に示すように、プラズマ処理装置の処理部２の横断面は、熱プラズマ発生器の陽極ノズルの横断面より大きい。
【００３６】
図８に示すように、プラズマ処理装置の処理部２は湾曲である。
【００３７】
上記プラズマ処理装置の出力部３は、手動的にまたは制御ユニットによって自動的に高さと回転角度が調節される。
【００３８】
プラズマ処理装置の受入部１、処理部２、出力部３、冷却剤入力口４、冷却剤出力口５及びジェットストリーム調節風入口６の横断面は、円形、楕円形または多角形である。
【００３９】
上記冷却システムと冷却剤容器７の中の冷却媒体は、気体または液体である。
【００４０】
上記媒体ガス調合システムは、媒体ガスの入力種類を選択し、媒体ガスの流量を制御する。
【００４１】
上記媒体ガス調合システムの中の媒体ガスは、アルゴン、ヘリウム、窒素、空気、二酸化窒素ガス、一酸化窒素ガス、酸素、メタンガス、水素、アンモニア、二酸化炭素ガス、一酸化炭素ガス、アルコール蒸気、水蒸気の中の１種類または複数の種類であり、そのうち、アルゴン、ヘリウム、窒素の１種類または複数の種類の流量範囲は８Ｌ／ｍｉｎ〜２４０Ｌ／ｍｉｎであり、空気、二酸化窒素ガス、一酸化窒素ガス、酸素の１種類または複数の種類の流量範囲は１５Ｌ／ｍｉｎ〜３２００Ｌ／ｍｉｎであり、メタンガス、水素、アンモニア、二酸化炭素ガス、一酸化炭素ガス、アルコール蒸気、水蒸気の１種類または複数の種類の流量範囲は０．８Ｌ／ｍｉｎ〜１８．２Ｌ／ｍｉｎである。
【００４２】
上記電源システムのパワーは１ＫＷ〜１０００ＫＷである。
【００４３】
上記熱プラズマ発生器は、直流プラズマ発生器、交流プラズマ発生器、マイクロウェーブプラズマ発生器、高周波誘導プラズマ発生器の中の同じ型番の１台または複数台であり、または異なる型番の複数台であり、パワーは５００Ｗ〜４５０ＫＷである。
【００４４】
上記検出フィードバックシステムは、熱プラズマ発生器とプラズマ治療チャンバー内に取り付けられたセンサー、及びプラズマ治療チャンバー内に取り付けられた生物体生命徴候モニタセンサーによって、例えば心拍数、血圧、血液酸素等の被治療生物体のリアルタイムの生理データ、及び例えばパワー、プラズマジェットストリームの温度場、ガスの流量等の熱プラズマ発生器とプラズマ治療チャンバーの運行パラメータを含む各種のデータを検出し、得られたデータを制御システムにフィードバックさせ、制御システムは、フィードバックして得られたデータに対して計算を行い、計算結果のデータに従って設備の運行状況を調整し、治療チャンバー内の各種のデータを疾患治療の要求を満足させるようにする。
【００４５】
上記プラズマ治療チャンバー内には、生物体呼吸装置、騒音減少イヤホン、生物体生命徴候モニタセンサーが設置されて環境温度調節装置と連結される。上記環境温度調節装置はプラズマ治療チャンバー内の温度の調節に用いられる。
【００４６】
疾患種類は、下記の
Ａ．体表面の疾患、例えば：皮膚病、慢性潰瘍、ウィルス感染、細菌／真菌感染；
Ｂ．体内のウィルス性疾患、例えば：Ｂ型肝炎、Ｃ型肝炎、犬ジステンパーウィルス病、犬パルボウイルス病；
Ｃ．腫瘍類疾患、例えば：黒色腫、肝ガン、肺ガン、神経膠腫；
Ｄ．免疫システム疾患、例えば：リウマチ様関節炎、全身性エリテマトーデス、強皮症、強直性脊椎炎；
Ｅ．神経システム異変疾患、例えば：パーキンソン病、小脳萎縮など、
を含む。
【００４７】
実際の操作においては、スタッフが異なる疾患、異なる患者の身体反応及び生物体生命徴候モニタセンサーのリアルタイムのパラメータに従って、媒体ガス種類と、媒体ガス流量と、熱プラズマ発生器及びプラズマ処理装置のパワー、治療時間及び周期とを含めて調節を行う。
【００４８】
熱プラズマ疾患治療システムの作動プロセスは以下の通りである：
罹病生物体がプラズマ治療チャンバーに入り、生物体呼吸装置、騒音減少イヤホン及び生物体生命徴候モニタセンサーを取り付け、患部皮膚を露出させ、治療を受け入れる準備をする。
【００４９】
スタッフは罹病生物体が準備を整えたのを確認してから、電源システムをスタートし、制御システムは媒体ガス調合システムを制御し、媒体ガスを調合してから熱プラズマ発生器に送り、調合後の媒体ガスは熱プラズマ発生器によってアークスタートしてから熱プラズマジェットストリームを形成し、熱プラズマジェットストリームはプラズマ処理装置によって温度が摂氏７０度より低い作動ガスを形成し、作動ガスはプラズマ治療チャンバーに入って生物体の皮膚と接触し、疾患治療を行う。
【００５０】
治療後、プラズマ治療チャンバーから排出される廃棄ガスは排気ガス処理システムに入り排気処理され、検出フィードバックシステムは、熱プラズマ発生器とプラズマ治療チャンバー内に取り付けられたセンサーによって、例えば心拍数、血圧、血液酸素等の被治療生物体のリアルタイムの生理データ、及び例えばパワー、プラズマジェットストリームの温度場、ガスの流量等の熱プラズマ発生器とプラズマ治療チャンバーの運行パラメータを獲得し、得られたデータを制御システムにフィードバックさせ、制御システムは、フィードバックして得られたデータに対して計算を行い、計算結果のデータに従って設備の運行状況を調整し、治療チャンバー内の各種のデータを疾患治療の要求を満足させるようにする。
【符号の説明】
【００５１】
１  受入部
２  処理部
３  出力部
４  冷却剤入力口
５  冷却剤出力口
６  ジェットストリーム調節風入口
７  冷却剤容器
【図１】
2019514564.tif 000003
【図２】
2019514564.tif 000004
【図３】
2019514564.tif 000005
【図４】
2019514564.tif 000006
【図５】
2019514564.tif 000007
【図６】
2019514564.tif 000008
【図７】
2019514564.tif 000009
【図８】
2019514564.tif 000010
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
互いに連結する制御システムと少なくとも１つの電源システムとを備え、制御システムと電源システムは、それぞれ、媒体ガス調合システムと、少なくとも１つの冷却システムと、少なくとも１つの熱プラズマ発生器と、少なくとも１つのプラズマ処理装置と、プラズマ治療チャンバーと、検出フィードバックシステムと、排気ガス処理システムと連結して制御を行い、
前記媒体ガス調合システムは熱プラズマ発生器と連結し、前記冷却システムは熱プラズマ発生器に設置され、熱プラズマ発生器はプラズマ処理装置と連結し、プラズマ処理装置はプラズマ治療チャンバーと連結し、プラズマ治療チャンバーは排気ガス処理システムと連結し、検出フィードバックシステムは熱プラズマ発生器とプラズマ治療チャンバーと連結し、検出フィードバックシステムは検出データを制御システムにフィードバックさせて、制御システムで計算を行い、
前記プラズマ処理装置は、受入部（１）、処理部（２）、出力部（３）、冷却剤入力口（４）、冷却剤容器（７）および冷却剤出力口（５）から構成され、そのうち受入部（１）は熱プラズマ発生器と連結し、出力部（３）はプラズマ治療チャンバーと連結し、処理部（２）の両端はそれぞれ受入部（１）と出力部（３）と連結し、冷却剤入力口（４）は受入部（１）に設置され、冷却剤容器（７）は処理部（２）の外側に設置され、冷却剤出力口（５）は出力部（３）に設置されることを特徴とする熱プラズマ疾患治療システム。
【請求項２】
請求項１に記載の熱プラズマ疾患治療システムにおいて、
前記プラズマ処理装置は、受入部（１）、処理部（２）、出力部（３）、冷却剤入力口（４）、冷却剤容器（７）、冷却剤出力口（５）およびジェットストリーム調節風入口（６）から構成され、そのうち受入部（１）は熱プラズマ発生器と連結し、出力部（３）はプラズマ治療チャンバーと連結し、処理部（２）の両端はそれぞれ受入部（１）と出力部（３）と連結し、冷却剤入力口（４）は受入部（１）に設置され、冷却剤容器（７）は処理部（２）の外側に設置され、冷却剤出力口（５）は出力部（３）に設置され、ジェットストリーム調節風入口（６）は受入部（１）に設置されることを特徴とする熱プラズマ疾患治療システム。
【請求項３】
請求項１に記載の熱プラズマ疾患治療システムにおいて、
前記プラズマ処理装置の処理部（２）の横断面は、熱プラズマ発生器の陽極ノズルの横断面の０．２〜２倍であることを特徴とする熱プラズマ疾患治療システム。
【請求項４】
請求項２に記載の熱プラズマ疾患治療システムにおいて、
前記プラズマ処理装置の処理部（２）の横断面は、熱プラズマ発生器の陽極ノズルの横断面の０．２〜２倍であることを特徴とする熱プラズマ疾患治療システム。
【請求項５】
請求項１に記載の熱プラズマ疾患治療システムにおいて、
前記プラズマ処理装置の処理部（２）は、真っすぐでありまたは湾曲でありまたは螺旋的でありまたは捻じ曲げ状であることを特徴とする熱プラズマ疾患治療システム。
【請求項６】
請求項１または請求項２に記載の熱プラズマ疾患治療システムにおいて、
前記プラズマ処理装置の出力部（３）は、手動的にまたは制御ユニットによって自動的に高さと回転角度が調節されることを特徴とする熱プラズマ疾患治療システム。
【請求項７】
請求項２に記載の熱プラズマ疾患治療システムにおいて、
前記プラズマ処理装置の受入部（１）、処理部（２）、出力部（３）、冷却剤入力口（４）、冷却剤出力口（５）およびジェットストリーム調節風入口（６）の横断面は、円形、楕円形または多角形であることを特徴とする熱プラズマ疾患治療システム。
【請求項８】
請求項１に記載の熱プラズマ疾患治療システムにおいて、
前記冷却システムと冷却剤容器（７）の中の冷却剤は、気体または液体であることを特徴とする熱プラズマ疾患治療システム。
【請求項９】
請求項１に記載の熱プラズマ疾患治療システムにおいて、
前記媒体ガス調合システムは、媒体ガスの入力種類を選択し、媒体ガスの流量を制御することを特徴とする熱プラズマ疾患治療システム。
【請求項１０】
請求項１に記載の熱プラズマ疾患治療システムにおいて、
前記媒体ガス調合システムの中の媒体ガスは、アルゴン、ヘリウム、窒素、空気、二酸化窒素ガス、一酸化窒素ガス、酸素、メタンガス、水素、アンモニア、二酸化炭素ガス、一酸化炭素ガス、アルコール蒸気、水蒸気の中の１種類または複数の種類であり、そのうち、アルゴン、ヘリウムおよび窒素の流量範囲は８Ｌ／ｍｉｎ〜２４０Ｌ／ｍｉｎであり、空気、二酸化窒素ガス、一酸化窒素ガスおよび酸素の流量範囲は１５Ｌ／ｍｉｎ〜３２００Ｌ／ｍｉｎであり、メタンガス、水素、アンモニア、二酸化炭素ガス、一酸化炭素ガス、アルコール蒸気および水蒸気の流量範囲は０．８Ｌ／ｍｉｎ〜１８．２Ｌ／ｍｉｎであることを特徴とする熱プラズマ疾患治療システム。
【請求項１１】
請求項１に記載の熱プラズマ疾患治療システムにおいて、
前記熱プラズマ発生器は、直流プラズマ発生器、交流プラズマ発生器、マイクロウェーブプラズマ発生器、高周波誘導プラズマ発生器の中の１台または複数台であることを特徴とする熱プラズマ疾患治療システム。
【請求項１２】
請求項１に記載の熱プラズマ疾患治療システムにおいて、
前記検出フィードバックシステムは、熱プラズマ発生器とプラズマ治療チャンバー内に取り付けられたセンサーによって各種のデータを検出し、データを制御システムに転送して、制御システムで計算を行うことを特徴とする熱プラズマ疾患治療システム。
【請求項１３】
請求項１に記載の熱プラズマ疾患治療システムにおいて、
前記プラズマ治療チャンバー内には、生物体呼吸装置、騒音減少イヤホン、生物体生命徴候モニタセンサーおよび環境温度調節装置が設置されることを特徴とする熱プラズマ疾患治療システム。
【請求項１４】
請求項１または請求項２に記載の熱プラズマ疾患治療システムにおいて、
疾患種類は、下記の
Ａ．体表面の疾患：皮膚病、ウィルス感染、細菌感染および真菌感染；
Ｂ．体内のウィルス性疾患：Ｂ型肝炎、Ｃ型肝炎、犬ジステンパーウィルス病および犬パルボウイルス病；
Ｃ．腫瘍：黒色腫、肝ガン、肺ガンおよび神経膠腫；
Ｄ．免疫システム疾患：リウマチ様関節炎、全身性エリテマトーデス、強皮症および強直性脊椎炎；
Ｅ．神経システム異変疾患：パーキンソン病および小脳萎縮；を含み、
実際の操作においては、スタッフが異なる疾患、異なる患者の身体反応および生物体生命徴候モニタセンサーのリアルタイムのパラメータに従って、媒体ガス種類と、媒体ガス流量と、熱プラズマ発生器およびプラズマ処理装置のパワーと、治療時間および周期とを含めて調節を行うことを特徴とする熱プラズマ疾患治療システム。
【国際調査報告】
2019514564.tif 000011
2019514564.tif 000012
2019514564.tif 000013
2019514564.tif 000014